(57)【要約】【課題】  電気所に設置される各装置の共通する機能を統合化することでコストの低減を図ると共に各装置の小型化を図ることが可能な電気所設備統合化システムを提供する。また、点検時や故障時に装置が使用できなくなる不都合を回避する。【解決手段】  電気所に設置された複数の装置において、直流電源装置８から供給される電圧を運転に必要な電圧値をへ変換するための電源装置６ａ，７ａを共用し、電源装置６ａ，７ａからそれぞれの装置（ＴＣ装置１、オシロ装置２、ＦＬ装置３、Ｒｙ装置４、計測装置５）に対して対応する電圧を供給する。アナログ信号をデジタル信号に変換する入力変換装置を前記複数の装置で共用し、入力変換装置からそれぞれの装置に対して対応するデンジタル信号を供給するようにしてもよい。これら電源装置や入力変換器を２系列設け、一方の点検時や故障時に他方をバックアップ用として用いる。【選択図】        図１
2007028709.tif 000002
【特許請求の範囲】
【請求項１】
電気所に設置され、直流電源装置から供給される電圧を運転に必要な電圧値へ変換することを要し、また計器から出力されたアナログ信号をデジタル信号に変換してシーケンス部で演算処理する機能を有する複数の装置を備え、
前記直流電源装置から供給される電圧を運転に必要な電圧値へ変換するための電源装置を前記複数の装置で共用し、前記電源装置からそれぞれの前記装置に対して対応する電圧
を供給するようにしたことを特徴とする電気所設備統合化システム。
【請求項２】
電気所に設置され、直流電源装置から供給される電圧を運転に必要な電圧値へ変換することを要し、また計器から出力されたアナログ信号をデジタル信号に変換してシーケンス部で演算処理する機能を有する複数の装置を備え、
前記アナログ信号をデジタル信号に変換する入力変換器を前記複数の装置で共用し、前記入力変換器からそれぞれの前記装置に対して対応するデンジタル信号を供給するようにしたことを特徴とする電気所設備統合化システム。
【請求項３】
電気所に設置され、直流電源装置から供給される電圧を運転に必要な電圧値へ変換することを要し、また計器から出力されたアナログ信号をデジタル信号に変換してシーケンス部で演算処理する機能を有する複数の装置を備え、
前記直流電源装置から供給される電圧を運転に必要な電圧値へ変換するための電源装置を前記複数の装置で共用し、前記電源装置からそれぞれの前記装置に対して対応する電圧を供給すると共に、前記アナログ信号をデジタル信号に変換する入力変換器を前記複数の装置で共用し、前記入力変換器からそれぞれの前記装置に対して対応するデンジタル信号を供給するようにしたことを特徴とする電気所設備統合化システム。
【請求項４】
前記電源装置を２系列設けたことを特徴とする請求項１又は３記載の電気所設備統合化システム。
【請求項５】
前記入力変換器を２系列設けたことを特徴とする請求項２又は３記載の電気所設備統合化システム。
【発明の詳細な説明】
【技術分野】
【０００１】
本発明は、電気所に設置された各装置の共通した機能を統合化する電気所設備統合化システムに関する。
【背景技術】
【０００２】
制御所，発電所，変電所，開閉所などの電気所には、例えば、図４に示されるように、電力設備を遠隔監視する遠隔監視制御装置（ＴＣ装置）１や、電力系統、通信系統を含む事象を表示・保存するオシロ装置２、送電線の電流や電圧の変化から短絡・地絡事故等の電気故障箇所を特定する送電線故障点標定装置（フォルトロケータ：ＦＬ装置）３、送電線の故障箇所を除去する保護継電装置（Ｒｙ装置）４、所定の標本を計測する計測装置５などの各種装置が設置されている（特許文献１、２等参照）。
【０００３】
これら装置は、それぞれが個別に設計されることから、直流電源装置８から供給された直流電圧（１１０Ｖ）をそれぞれの装置の運転に必要な電圧値（±５Ｖ，１０Ｖ，１５Ｖ，２４Ｖ，４８Ｖ等）へ変換する電源装置１ｃ〜５ｃ、送電線路１１の電圧計測に用いる計器用変圧器（ＰＴ）１２や電流計測に用いる計器用変流器（ＣＴ）１３から出力された電圧、電流量のアナログ信号をデジタル信号に変換する入力変換器（Ａ／Ｄ）１ａ〜５ａ、入力されたデジタル信号を演算処理するシーケンス部１ｂ〜５ｂ等をそれぞれ有している。
【０００４】
【特許文献１】特開平７−２４５８７５号公報
【特許文献２】特開平９−２２２４４５号公報
【発明の開示】
【発明が解決しようとする課題】
【０００５】
しかしながら、従来の電気所に設置される各装置は、電源装置や入力変換器が装置単位で設計されて組み込まれているため、電気所内の設備全体から見ると、同様の機能を司る部分が多数存在している。このため、それぞれの装置はコストが高くなり、また、大型化する不都合があった。
【０００６】
また、従来の各装置は、電源装置や入力変換器がそれぞれ１つづつしか設置されていないため、電源装置や入力変換器を点検する場合やこれら電源装置や入力変換器が故障した場合には、装置が使用できなくなる不都合もある。
【０００７】
本発明は、上述した事情に鑑みてなされたものであり、各装置の共通する機能を統合化することでコストの低減を図ると共に各装置の小型化を図ることが可能な電気所設備統合化システムを提供することを主たる課題としている。また、点検時や故障時に装置が使用できなくなる不都合を回避することをも課題としている。
【課題を解決するための手段】
【０００８】
上記課題を達成するために、本発明に係る電気所設備統合化システムは、電気所に設置され、直流電源装置から供給される電圧を運転に必要な電圧値へ変換することを要し、また計器から出力されたアナログ信号をデジタル信号に変換してシーケンス部で演算処理する機能を有する複数の装置を備え、前記直流電源装置から供給される電圧を運転に必要な電圧値へ変換するための電源装置を前記複数の装置で共用し、前記電源装置からそれぞれの前記装置に対して対応する電圧を供給するようにしたことを特徴としている（請求項１）。
【０００９】
したがって、上述の構成においては、直流電源装置から供給される電圧を運転に必要な電圧値へ変換する電源装置が複数の装置で共用されるので、各装置で保有していた電源装置を省略することが可能となり、装置単位で電源装置の設計が不要となる。
【００１０】
また、本発明に係る電気所設備統合化システムは、電気所に設置され、直流電源装置から供給される電圧を運転に必要な電圧値へ変換することを要し、また計器から出力されたアナログ信号をデジタル信号に変換してシーケンス部で演算処理する機能を有する複数の装置を備え、前記アナログ信号をデジタル信号に変換する入力変換器を前記複数の装置で共用し、前記入力変換器からそれぞれの前記装置に対して対応するデンジタル信号を供給するようにしてもよい（請求項２）。
【００１１】
したがって、上述の構成においては、アナログ信号をデジタル信号に変換する入力変換器が複数の装置で共用されるので、各装置で保有していた入力変換器を省略することが可能となり、装置単位で入力変換器の設計が不要となる。
【００１２】
さらに、本発明に係る電気所設備統合化システムは、電気所に設置され、直流電源装置から供給される電圧を運転に必要な電圧値へ変換することを要し、また計器から出力されたアナログ信号をデジタル信号に変換してシーケンス部で演算処理する機能を有する複数の装置を備え、前記直流電源装置から供給される電圧を運転に必要な電圧値へ変換するための電源装置を前記複数の装置で共用し、前記電源装置からそれぞれの前記装置に対して対応する電圧を供給すると共に、前記アナログ信号をデジタル信号に変換する入力変換器を前記複数信号を供給するようにしたことを特徴としている（請求項３）。
【００１３】
したがって、上述の構成においては、直流電源装置から供給される電圧を運転に必要な電圧値へ変換する電源装置とアナログ信号をデジタル信号に変換する入力変換器とが複数の装置で共用されるので、各装置で保有していた電源装置や入力変換器を省略することが可能となり、装置単位で電源装置や入力変換器の設計が不要となる
【００１４】
尚、上述したいずれの構成においても、電源装置や入力変換器を２系列設け、一方の点
検時や故障時に他方に切替えて対応することが好ましい（請求項３，４）。
【発明の効果】
【００１５】
以上述べたように、請求項１に記載の発明によれば、直流電源装置から供給される電圧を運転に必要な電圧値へ変換するための電源装置を複数の装置で共用するようにしたので、各装置で保有していた電源装置を省略することが可能となり、装置単位で電源装置の設計・設置が不要となり、コストの低減を図ることが可能となると共に各装置の小型化を図ることが可能となる。
【００１６】
請求項２に記載の発明によれば、アナログ信号をデジタル信号に変換する入力変換器を複数の装置で共用するようにしたので、各装置で保有していた入力変換器を省略することが可能となり、装置単位で入力変換器の設計・設置が不要となり、コストの低減を図ることが可能となると共に各装置の小型化を図ることが可能となる。
【００１７】
請求項３に記載の発明によれば、直流電源装置から供給される電圧を運転に必要な電圧値へ変換するための電源装置を複数の装置で共用し、且つ、アナログ信号をデジタル信号に変換する入力変換器を複数の装置で共用するようにしたので、各装置で保有していた電源装置と入力変換器を省略することが可能となり、装置単位で電源装置や入力変換器の設計・設置が不要となり、コストの低減を図ることが可能となると共に装置の小型化を図ることが可能となる。
【００１８】
請求項４又は５記載の発明によれば、電源装置や入力変換器を２系列設けたので、電源装置や入力変換器の点検を行うために一方の系列を停止させた場合でも他方の系列に切替えて各装置の運転を継続させることが可能となり、点検に伴う電源装置や入力変換器の停止が容易となる。また、１系列目が故障した場合でも２系列目に切り換えて対応できるので、システムの信頼性を向上させることが可能となる。
【発明を実施するための最良の形態】
【００１９】
以下、この発明の最良の実施形態を添付図面を参照しながら説明する。
【００２０】
図１は、この発明の第１の実施形態を示す電気所設備統合化システムであり、この例において、制御所，発電所，変電所，開閉所などの電気所には、例えば、電力設備を遠隔監視する遠隔監視制御装置（ＴＣ装置）１、電力系統、通信系統を含む事象を表示・保存するオシロ装置２、送電線の電流や電圧の変化から短絡・地絡事故等の電気故障箇所を特定する送電線故障点標定装置（フォルトロケータ：ＦＬ装置）３、送電線の故障箇所を除去する保護計伝装置（Ｒｙ装置）４、及び所定の標本を計測する計測装置５が設置されている。
【００２１】
それぞれの装置は、送電線路１１の電圧計測に用いる計器用変圧器（ＰＴ）１２や電流計測に用いる計器用変流器（ＣＴ）１３から出力された電圧、電流量のアナログ信号をデジタル信号に変換する入力変換器（Ａ／Ｄ）１ａ〜５ａと、入力されたデジタル信号を演算処理するシーケンス部１ｂ〜５ｂとを備えている。
【００２２】
それぞれの装置に供給される電圧は、総合電源装置盤６，７に設けられた電源装置６ａ，７ａから供給されるようになっており、電源装置６ａ，７ａは、直流電源装置８から供給される電圧（１１０Ｖ）をそれぞれの装置の運転に必要な電圧値（±５Ｖ，１０Ｖ，１５Ｖ，２４Ｖ，４８Ｖ等）へ変換し、対応する装置へ供給するようにしている。この総合電源装置盤６，７に設けられる電源装置６ａ，７ａは、第１系列と第２系列の２系列設けられており、通常においては一方の系列の電源装置６ａで電力を供給し、他方の系列の電源装置７ａは、一方の系列の電源装置６ａを点検する場合や一方の系列の電源装置６ａが故障した場合のバックアップ用として用意されている。
【００２３】
したがって、このような構成においては、直流電源装置８から供給される電圧を運転に必要な電圧値へ変換する電源装置６ａ，７ａが複数の装置（ＴＣ装置１、オシロ装置２、ＦＬ装置３、Ｒｙ装置４、計測装置５）で共用され、各装置で保有していた電源装置を省略することが可能となるので、装置単位で電源装置の設計・設置が不要となり、コストの低減を図ることが可能となると共に各装置の小型化を図ることが可能となる。
【００２４】
また、上述の構成においては、電源装置を２系列設けたので、１系列目の電源装置を点検する場合でも電源装置を２系列目に切り換えて各装置の運転を継続させることができるので、点検に伴う電源装置の停止が容易に行え、電源装置の点検作業を容易に行うことが可能となる。さらに、１系列目の電源装置６ａが故障しても２系列目の電源装置７ａでバックアップすることが可能となるので、各装置が使用できなくなる不都合を回避することが可能となり、システムの高い信頼性を確保することが可能となる。
【００２５】
図２において、電気所設備統合化システムの第２の実施形態が示されている。この構成例において、電気所には、例えば、電力設備を遠隔監視する遠隔監視制御装置（ＴＣ装置）１、電力系統、通信系統を含む事象を表示・保存するオシロ装置２、送電線の電流や電圧の変化から短絡・地絡事故等の電気故障箇所を特定する送電線故障点標定装置（フォルトロケータ：ＦＬ装置）３、送電線の故障箇所を除去する保護計伝装置（Ｒｙ装置）４、及び所定の標本を計測する計測装置５が設置され、それぞれの装置は、直流電源装置から供給された直流電圧（１１０Ｖ）をそれぞれの装置の運転に必要な電圧値へ変換するための電源装置１ｃ〜５ｃと、入力されたデジタル信号を演算処理するシーケンス部１ｂ〜５ｂとを備えている。
【００２６】
それぞれの装置に入力されるデジタル信号は、総合入力変換器盤９，１０に設けられた入力変換器９ａ，１０ａから供給されるようになっており、入力変換器９ａ，１０ａは、送電線路１１の電圧計測に用いる計器用変圧器（ＰＴ）１２や電流計測に用いる計器用変流器（ＣＴ）１３から出力された電圧、電流量のアナログ信号をデジタル信号へ変換し、送信先装置のアドレス情報を付加する等してこのデジタル信号を対応する装置へ供給するようにしている。
【００２７】
この総合入力変換器盤９，１０に設けられる入力変換器９ａ，１０ａは、第１系列と第２系列の２系列設けられており、通常においては、一方の系列の入力変換器９ａでアナログ信号をデジタル信号に変換し、他方の系列の入力変換器１０ａは、一方の系列の入力変換器９ａを点検する場合や一方の系列の入力変換器９ａが故障した場合のバックアップ用として用意されている。
【００２８】
したがって、このような構成においては、アナログ信号をデジタル信号に変換する入力変換器９ａ，１０ａが複数の装置（ＴＣ装置１、オシロ装置２、ＦＬ装置３、Ｒｙ装置４、計測装置５）で共用され、各装置で保有していた入力変換器を省略することが可能となるので、装置単位で入力変換器の設計・設置が不要となり、コストの低減を図ることが可能になると共に各装置の小型化を図ることが可能になる。
【００２９】
また、上述の構成においては、入力変換器を２系列設けたので、１系列目の入力変換器を点検する場合でも入力変換器を２系列目に切り換えて各装置の運転を継続させることができるので、点検に伴う入力変換器の停止が容易に行え、入力変換器の点検作業を容易に行うことが可能となる。さらに、１系列目の入力変換器９ａが故障しても２系列目の入力変換器１０ａでバックアップすることが可能となるので、各装置が使用できなくなる不都合を回避することが可能となり、システムの高い信頼性を確保することが可能となる。
【００３０】
図３において、電気所設備統合化システムの第３の実施形態が示されている。この構成例においては、上述した２つの実施形態を統合したもので、それぞれの装置には、入力された信号を演算処理するシーケンス部１ｂ〜５ｂのみが設けられている。
【００３１】
各装置で必要とする電圧は、総合電源装置盤６．７に設けられた電源装置６ａ，７ａから供給され、また、各装置に入力されるデジタル信号は、総合入力変換器盤９，１０に設けられた入力変換器９ａ，１０ａから供給されるようになっている。
【００３２】
電源装置６ａ，７ａ、及び、入力変換器９ａ，１０ａは、前述した構成と同様のものであり、電源装置６ａ，７ａは、直流電源装置８から供給される電圧（１１０Ｖ）をそれぞれの装置の運転に必要な電圧値（±５Ｖ，１０Ｖ，１５Ｖ，２４Ｖ，４８Ｖ等）へ変換し、対応する装置へ供給するようにしている。また、入力変換器９ａ，１０ａは、送電線路１１の電圧計測に用いる計器用変圧器（ＰＴ）１２や電流計測に用いる計器用変流器（ＣＴ）１３から出力された電圧、電流量のアナログ信号をデジタル信号に変換し、送信先装置のアドレス情報を付加する等してこのデジタル信号を対応する装置へ供給するようにしている。
【００３３】
これら総合電源装置盤６，７に設けられた電源装置６ａ，７ａと総合入力変換器盤９，１０に設けられた入力変換器９ａ，１０ａとは、それぞれ第１系列と第２系列の２系列設けられており、通常においては、一方の系列の電源装置６ａと入力変換器９ａで電力を供給し、他方の系列の電源装置７ａと入力変換器１０ａは、一方の系列の電源装置６ａや入力変換器９ａを点検する場合や一方の系列の電源装置６ａや入力変換器９ａが故障した場合のバックアップ用として用意されている。
【００３４】
したがって、このような構成においては、直流電源装置８から供給される電圧を運転に必要な電圧値へ変換する電源装置６ａ，７ａが複数の装置（ＴＣ装置１、オシロ装置２、ＦＬ装置３、Ｒｙ装置４、計測装置５）で共用され、また、アナログ信号をデジタル信号に変換する入力変換器９ａ，１０ａも複数の装置（ＴＣ装置１、オシロ装置２、ＦＬ装置３、Ｒｙ装置４、計測装置５）で共用され、各装置で保有していた電源装置や入力変換器を省略することが可能となるので、装置単位で電源装置や入力変換器の設計・設置が不要となり、コストの低減を図ることが可能になると共に各装置の小型化を図ることが可能となる。
【００３５】
また、上述の構成においては、電源装置６ａ，７ａや入力変換器９ａ，１０ａを２系列設けたので、１系列目の電源装置や入力変換器を点検する場合でも電源装置や入力変換器を２系列目に切り換えて各装置の運転を継続させることができるので、点検に伴う電源装置や入力変換器の停止が容易に行え、電源装置や入力変換器の点検作業を容易に行うことが可能となる。さらに、１系列目の電源装置６ａや入力変換器９ａが故障しても２系列目の電源装置７ａや入力変換器１０ａでバックアップすることが可能となるので、各装置が使用できなくなる不都合を回避することが可能となり、システムの高い信頼性を確保することが可能となる。
【図面の簡単な説明】
【００３６】
【図１】図１は、本発明に係る電気所設備統合化システムの第１の実施形態を示す構成図である。
【図２】図２は、本発明に係る電気所設備統合化システムの第２の実施形態を示す構成図である。
【図３】図３は、本発明に係る電気所設備統合化システムの第３の実施形態を示す構成図である。
【図４】図４は、従来の電気所内の設備を示す構成図である。
【００３７】
１ａ〜５ａ  入力変換器
１ｂ〜５ｂ  シーケンス部
１ｃ〜５ｃ  電源装置
６ａ，７ａ  電源装置
８  直流電源装置
９ａ，１０ａ  入力変換器
１２  計器用変圧器
１３  計器用変流器
【図１】
2007028709.tif 000003
【図２】
2007028709.tif 000004
【図３】
2007028709.tif 000005
【図４】
2007028709.tif 000006